(57)【要約】【課題】反射型液晶表示装置において、反射型液晶パネルの表示エリアと該表示エリアに対応した遮光板の開口部の相対的な位置を精確に配置する事が困難であり、遮光板が反射型液晶パネルの非表示エリア全面を覆えない、あるいは表示エリアの一部を覆ってしまうといった不具合を生じる事がある。【解決手段】少なくとも導光部材、拡散部材、偏光板、半透過型反射シートを位置決め固定する筐体を有し、前記筐体は回路基板の上面に表示面を上にして搭載された反射型液晶パネルの上部で、前記回路基板の上面に搭載された基台により位置決め固定され、前記反射型液晶パネルと前記筐体の間に反射型液晶パネルの画像表示領域に対応した開口部を有する遮光部材を設けた反射型液晶表示装置において、前記遮光部材が前記基台に一体形成された反射型液晶表示装置とする。【選択図】      図２
2005017803.tif 000002
【特許請求の範囲】
【請求項１】
少なくとも導光部材、拡散部材、偏光板、半透過型反射シートを位置決め固定する筐体を有し、前記筐体は回路基板の上面に表示面を上にして搭載された反射型液晶パネルの上部で、前記回路基板の上面に搭載された基台により位置決め固定され、前記反射型液晶パネルと前記筐体の間に前記反射型液晶パネルの画像表示領域に対応した開口部を有する遮光部材を設けた反射型液晶表示装置において、前記遮光部材が前記基台に一体形成されてなることを特徴とする反射型液晶表示装置。
【発明の詳細な説明】
【０００１】
【発明の属する技術分野】
本発明は、デジタルスチルカメラ、ビデオカメラ等のモニタとして利用される反射型液晶表示装置に関するものである。
【０００２】
【従来の技術】
図１は従来の反射型液晶表示装置の分解斜視図である。セラミック基板２に反射型液晶パネル４と、一端部に発光素子３が搭載されたＦＰＣ（Ｆｌｅｘｉｂｌｅ  ｐｒｉｎｔｅｄ  ｃｉｒｃｕｉｔ）の回路基板１が接着固定されている。反射型液晶パネル４は、画像表示領域（以下表示エリア）４ａ周辺の非表示エリア４ｂに反射型液晶素子の画素を駆動するための配線が施されており、ワイヤー（不図示）により回路基板１と電気的接続が取られている。回路基板１の上面には反射型液晶パネル４の周囲を囲むように基台５が搭載されている。基台５は基台５の下面に設けられたガイドピン（不図示）とセラミック基板２に設けられた穴（不図示）とが係合する事で位置決めされ接着固定されている。基台５の内側の、反射型液晶表示パネル４の周囲にはワイヤー保護のためポッティング樹脂（不図示）が充填されている。
【０００３】
また、基台５の上面にはガイドピン５ｂおよびフック５ａ、５ｃ、５ｄが備えられており、ガイドピン５ｂ、フック５ａ、５ｃ、５ｄと遮光板６に形成された穴６ｂ、切り欠き部６ａ、６ｃ、６ｄがそれぞれ係合し、遮光板６が基台５の上面に位置決め固定されている。さらにフック５ａ、５ｃ、５ｄにより筐体７が遮光板６の上部に位置決め固定されている。
【０００４】
遮光板６は反射型液晶パネルの表示エリア４ａに対応した開口部６ｅを有し、反射型液晶パネルの表示エリア４ａのみに光が入射する構造になっており、映像を見にくくする要因の一つである非表示エリア４ｂへ光が入射する事でおきる光漏れや乱光を防止している。
筐体７と遮光板６が一体形成された例もある。（例えば特許文献１参照）
【０００５】
筐体７には、半透過型反射シートと拡散板，偏光板、導光部材が内蔵され、発光素子３から発せられた光を偏光、反射し、反射型液晶パネル４に表示される画面が見えるようになっている。
【０００６】
【特許文献１】
特開２００１−１８３６３１号公報
【０００７】
反射型液晶表示装置の動作について説明する。反射型液晶表示装置は筐体７の上部から画像を見るものである。発光素子３から発せられた光は拡散板、偏光板を通過し、その後半透過型反射シートで反射され反射型液晶パネルの表示エリア４ａに照射される。ここで反射型液晶パネル４の電源をオン、オフすることで、照射した光が反射型液晶パネル４の電源のオン、オフに合わせて選択的に反射され画像が表示される。
【０００８】
【発明が解決しようとする課題】
従来の反射型液晶表示装置において、反射型液晶パネルの表示エリアと該表示エリアに対応した遮光板の開口部の相対的な位置は、遮光板、基台、セラミック基板、反射型液晶パネルという多数の部材を組立てる事で決定されているため、各部材の加工精度や公差の累積により精確に配置する事が困難であった。そのため、遮光板が反射型液晶パネルの非表示エリア全面を覆えない、あるいは表示エリアの一部を覆ってしまうといった不具合を生じる事があった。ところで、各部材の公差を厳しくし対応する事は技術面、コスト面において困難である。本発明は、このような事情を踏まえ、反射型液晶パネルの表示エリアと遮光部材の開口部の相対位置を精確且つ容易に組立てる事が可能な反射型液晶表示装置を提供しようとするものである。
【０００９】
【課題を解決するための手段】
少なくとも導光部材、拡散部材、偏光板、半透過型反射シートを位置決め固定する筐体を有し、前記筐体は回路基板の上面に表示面を上にして搭載された反射型液晶パネルの上部で、前記回路基板の上面に搭載された基台により位置決め固定され、前記反射型液晶パネルと前記筐体の間に反射型液晶パネルの画像表示領域に対応した開口部を有する遮光部材を設けた反射型液晶表示装置において、前記遮光部材は前記基台に一体形成される。一体形成される事で反射型液晶パネルの表示エリアと遮光部材の開口部の相対位置を精確且つ容易に組立てる事が可能となる。
【００１０】
【発明の実施の形態】
以下本発明の実施の形態を図面を基に説明する。図２は本発明の反射型液晶表示装置の正面図と側面断面図（Ａ−Ａ断面図）である。（ａ）は基台と回路基板、セラミック基板の一部省略正面図、（ｂ）は基台と回路基板、セラミック基板の一部省略側面断面図（Ａ−Ａ断面図）である。セラミック基板１２に反射型液晶パネル１３と一端部に発光素子（不図示）が搭載された回路基板１１が接着固定されている。反射型液晶パネル１３は、表示エリア１３ａ周辺の非表示エリア１３ｂに反射型液晶パネル１３の画素を駆動するための配線が施されており、ワイヤー１５により回路基板１１と電気的接続が取られている。回路基板１１の上面には反射型液晶パネル１３を覆うように基台１４が、基台１４下面に設けられたガイドピン１４ａ、１４ｂ、１４ｃとセラミック基板１２に設けられた穴１２ａ、１２ｂ、１２ｃとがそれぞれ係合する事で位置決めされ接着固定されている。基台１４の内側の反射型液晶パネル１３周囲にはワイヤー１５の保護のためポッティング樹脂（不図示）が充填されている。また、ここでは図示していないが、基台１４の上部に半透過型反射シートと拡散板，偏光板を内蔵した筐体が、基台１４に設けられたフック１４ｄ、１４ｅ、１４ｆにより位置決め固定されている。
【００１１】
基台１４には開口部１４ｇ、１４ｈ、１４ｉが設けられている。開口部１４ｇは反射型液晶パネル１３の表示エリア１３ａに対応しており、筐体に内蔵された半透過型反射シートで反射された光は反射型液晶パネル１３の表示エリア１３ａのみに入射する（非表示エリア１３ｂには光が入射しない）構造となっている。従来のように基台１４と反射型液晶パネル１３の表示エリア１３ａに対応した開口部を有する遮光部材が別体で形成されているものと比べ、基台１４と遮光部材が一体構造であるため、基台１４と遮光部材の加工および組立てによる公差の累積がなくなり、反射型液晶パネル１３の表示エリア１３ａと表示エリア１３ａに対応した開口部１４ｇがより精確に配置される。同様の理由により基台１４の開口部１４ｇと筐体も精確に配置される。また、部品点数の削減、工数の削減といった効果もある。開口部１４ｈ、１４ｉは、ワイヤー１５保護用のポッティング樹脂を充填するための注入口の役割を果たすものである。
【００１２】
【発明の効果】
遮光板と基台を一体形成した事により、反射型液晶パネルの表示エリアとそれに対応する遮光部材に設けられた開口部が所望の位置へ精確に配置できるようになった。
【００１３】
遮光板を基台に一体形成したことにより部品数が減り、容易かつ安価に製造できるようになった。
【図面の簡単な説明】
【図１】従来の反射型液晶表示装置の分解斜視図。
【図２】本発明の反射型液晶表示装置の正面図と側面断面図（Ａ−Ａ断面図）。
【符号の説明】
１    回路基板
２    セラミック基板
３    発光素子
４    反射型液晶パネル
４ａ  表示エリア
４ｂ  非表示エリア
５    基台
５ａ  フック
５ｂ  ガイドピン
５ｃ  フック
５ｄ  フック
６    遮光板
６ａ  切り欠き部
６ｂ  穴
６ｃ  切り欠き部
６ｄ  切り欠き部
６ｅ  開口部
７    筐体
１１    回路基板
１２    セラミック基板
１２ａ  穴
１２ｂ  穴
１２ｃ  穴
１３    反射型液晶パネル
１３ａ  表示エリア
１３ｂ  非表示エリア
１４    基台
１４ａ  ガイドピン
１４ｂ  ガイドピン
１４ｃ  ガイドピン
１４ｄ  フック
１４ｅ  フック
１４ｆ  フック
１４ｇ  開口部
１４ｈ  開口部
１４ｉ  開口部
１５    ワイヤー
【図１】
2005017803.tif 000003
【図２】
2005017803.tif 000004